(57)【要約】      （修正有）【課題】既存のどのような構造でも中柱を設けたシャッターを簡単かつ強固に補強できるシャッター補強材固定具を用いて暴風時にも破損しないシャッター補強構造を提供することにある。【解決手段】開口部に設けられるシャッター装置の左右のガイドレール間に架け渡された補強材Ｂの中間部分を中柱Ｃに固定して補強するために、補強材固定具Ａは、補強材Ｂを外側から中柱Ｃの方向に押圧する補強材固定片１１と、中柱Ｃを補強材Ｂの方向に押圧する中柱固定片２と、補強材固定片１１と中柱固定片２とを螺合によって結合する調節ネジ部３２と、調節ネジ部３２を回転させる調節把持部３１からなり、補強材固定片１１と中柱固定片２とで補強材Ｂを中柱Ｃに押圧固定する。【選択図】図２
2020016037.tif 000002
【特許請求の範囲】
【請求項１】
開口部に設けられるシャッター装置の左右のガイドレール間に架け渡された補強材の中間部分を中柱に固定する補強材固定具において、補強材を外側から中柱の方向に押圧する補強材固定片と、中柱を補強材の方向に押圧する中柱固定片と、補強材固定片と中柱固定片とを結合する調節ネジ部と、調節ネジ部と螺合する調節把持部とを有することを特徴とするシャッター補強材固定具。  
【請求項２】
請求項1に記載の補強材固定具を用いて、補強材を中柱に近接させた状態で補強材固定片を補強材に圧接させると共に、中柱固定片を中柱に沿わせて調節把持部を回転させることにより螺合する調節ネジ部を軸方向に移動させて、中柱固定片を中柱に圧接し補強材を中柱に固定することを特徴とするシャッター補強構造。
【発明の詳細な説明】
【技術分野】
【０００１】
本発明は、建物の開口に設けられるシャッター補強材固定具及びそれを用いたシャッター補強構造に関するものである。
【背景技術】
【０００２】
車両が出入りするような建屋の大きな開口部を必要とする部分のシャターとしては、取外しのできる中柱によって複数組に分けられたシャッターが用いられる。
【０００３】
近年、シャッター自体の強度が向上し台風などの防風対策も行われているが、特に大きな工場や倉庫ではシャッターの大開口の中間部分は中柱が設けられ、スタットが正圧だけでなく負圧が作用した場合に室外側にスラットがあおられて膨らみ、金具で固定されていても床に差し込まれているだけの力の弱いシャッターの中柱が抜けたり折れ曲がる等の破損が発生する。
【０００４】
これに対して、特許文献１のシャッター補強装置は、シャッター高さよりやや短い補強材をその一方を側枠（本願ではガイドレール）に係止し、他方を方立（本願では中柱）に係止することによって、補強材を斜めに架け渡し、途中部分の複数個所で鉤受具を用いて補強材とスタットと係止して、スタットが側枠から外れないようにしている。  
【０００５】
この方式によれば、シャッターの補強が行うことができ使用しない場合は側枠に吊り下げておくことができるが、取り外す際は、スタットから鉤受具を外さなければならず面倒であり、補強材の一方を容易に取外すことができる方立（中柱）に固定しているので、暴風による大きな負圧がかかれば、強度的に弱い方立（中柱）に力がかかり外れるおそれがある。さらに、補強材の長さが短く方立（中柱）の下端部で固定されないため、方立（中柱）の途中に力がかかって折れ曲がったり抜け易くなったりする。
【０００６】
特許文献２のスライド式シャッタの補強構造は、一方のガイドレールの上端に、一端が回転自在に取り付けられると共に、他端が伸縮可能な調整部材とその先端に回転可能に連結され、他方のガイドレールに案内されて上下にスライドする前記シャッタカーテンの下端に着脱可能な連結部材を備えたシャッタの補強構造が開示されている。
【０００７】
この方式によれば、スラットを連結したシャッタカーテンの開口部の対角線上に補強材を設けることができるが、ガイドレールに補強材をスライドさせる溝が必要で、この構造にあったガイドレールを新設しなければならず、そもそも中柱が設けられた構造ではなく、この構造に中柱を用いた際の作用効果が明確ではない。
【先行技術文献】
【特許文献】
【０００８】
【特許文献１】特開昭５６−１５５０９６号公報
【特許文献２】特開２００９−１９７４８２号公報
【発明の概要】
【発明が解決しようとする課題】
【０００９】
本発明は斯かる点に鑑みてなされたものであり、その目的は、既存のどのような構造でも中柱を設けたシャッターを簡単かつ強固に補強できるシャッター補強材固定具及びそれを用いたシャッター補強構造を提供することにある。
【課題を解決するための手段】
【００１０】
上記の目的の達成のため、請求項１に記載の発明によるシャッター補強材固定具は、開口部に設けられるシャッター装置の左右のガイドレール間に架け渡され固定された補強材の中間部分を中柱に固定する補強材固定具において、補強材を外側から中柱の方向に押圧する補強材固定片と、中柱を補強材の方向に押圧する中柱固定片と、補強材固定片と中柱固定片とを結合する調節ネジ部と、調節ネジ部と螺合する調節把持部とを有することを特徴とする。      
【００１１】
請求項２に記載の発明によるシャッター補強構造は、請求項1に記載の補強材固定具を用いて、補強材を中柱に近接させた状態で補強材固定片を補強材に圧接させると共に、中柱固定片を中柱に沿わせて調節把持部を回転させることにより螺合する調節ネジ部を軸方向に移動させて、中柱固定片を中柱に圧接し補強材を中柱に固定することを特徴とする。
【発明の効果】
【００１２】
本発明では、開口部に設けられるシャッター装置の左右のガイドレール間に補強材を架け渡すことで、補強材は建物の開口部に強固に固定されるので、補強材の中間部分に補強材固定具を介して固定される中柱も強固に固定することができる。また、補強材固定具は補強材を外側から中柱の方向に押圧する補強材固定片と、中柱を補強材の方向に押圧する中柱固定片とが調節ネジ部で結合されているので、調節把持部を回転させることで中柱固定片を中柱に押圧して強固に中柱に補強材を固定することができる。
【００１３】
請求項２の発明では、請求項1に記載の補強材固定具を用いて、補強材を中柱に近接させた状態で補強材固定片を補強材に圧接させると共に、中柱固定片を中柱に沿わせて調節把持部を回転させることにより螺合する調節ネジ部を軸方向に移動させて、中柱固定片と補強材固定片との間隔が狭まって、補強材が中柱に押し付けられて強固に固定される。その結果、中柱が補強材を介して強固なガイドレールに結合されることになり、暴風下においても中柱が抜けたり破損することはない。
【図面の簡単な説明】
【００１４】
【図１】実施形態１の補強材固定具の正面図である。
【図２】実施形態１の補強材固定具で補強材を中柱に固定した状態の正面図である。
【図３】実施形態１の補強材固定具で補強材を中柱に固定した状態の側面図である。
【図４】実施形態１の補強材固定具で補強材を中柱に固定した状態の平面図である。
【図５】実施形態１の補強材固定具で補強材を中柱に固定した状態の斜視図である。
【図６】その他の実施形態の補強材固定具の正面図である。
【図７】その他の実施形態の補強材固定具の正面図である。
【図８】シャッターに補強材を固定して補強した状態を示す概略図である。
【発明を実施するための形態】
【００１５】
以下、本発明の実施形態を図面に基づいて詳細に説明する。以下の実施形態の説明は、本質的に例示に過ぎず、本発明、その適用物或いはその用途を制限することを意図するものでは全くない。
【００１６】
図１は、実施形態１の補強材固定具Ａの正面図であり、図２乃至５は、補強材固定具Ａを用いて補強材Ｂを中柱Ｃに固定した状態を種々の角度から示したものである。  
【００１７】
補強材固定具Ａは、補強材固定片１１、調節ネジ部３２、調節把持部３１、中柱固定片２で構成され、補強材固定片１１は両端に円形孔が開いた矩形の薄板からなり、調節ネジ部３２がその孔に貫通支持されている。調節ネジ部３２は少なくとも一端に雄ネジが切られておりそこに雌ねじを切った調節把持部３１が螺合され、調節把持部３１を回転させることでネジ部を軸方向に前後移動することができる（図１の矢印）。前記円形孔は雌ネジが切ってあっても良く、これによって、調節ネジ部３２ががたつかず安定して補強材固定片１１に支持される。調節ネジ部３２の他端には矩形の中柱固定片２が固定されており、ネジ部の回転と共に中柱の前後方向（図１の矢印）に移動する。
【００１８】
本実施形態では調節把持部３１及び調節ネジ部３２は、前記補強材固定片１１の両端２か所に設けられている。調節ネジ部３２の材質としては、炭素鋼、ステンレス、チタン等の金属ネジの他、十分な強度を有するものであれば、ポリカーボネート、ポリプロピレン、ポリアセタール等の樹脂ネジを用いても良い。補強材固定片１１、中柱固定片２も調節ネジ部３２と同様の材料から選択できる。
【００１９】
補強材Ｂは図２乃至５に示すように補強材固定具Ａを用いて中柱Ｃに固定される。
先ず、図８に示すように補強材Ｂをシャッター装置の左右のガイドレール間に架け渡す。ここで、シャッターはガイドレールＳ１、上枠Ｓ３、スラットＳ１、中柱Ｃで構成され、
補強材Ｂの上側は上側受け材Ｄ1で下側は下側受け材Ｄ２で固定する。上側受け材Ｄ1、下側受け材Ｄ２は補強材Ｂはガイドレール部分から外れないように支持できれば特に形態や材質は問わず、一般に市販品されているものを使用することができる。
【００２０】
中柱Ｃの部分で、補強材固定片１１の左右２本の調節ネジ部３２の少なくとも一方を調節把持部３１から外して、補強材Ｂを２本の調節ネジ部３２の上側と下側の間を通した状態で補強材固定片１１で補強材Ｂを中柱の方向に押圧しながら、２か所の調節把持部３１を回転することで、調節ネジ部３２の雄ネジが調節把持部３１に切られた雌ネジに螺合し、中柱固定片２が矢印の方向に移動して中柱を押圧し補強材固定具Ａが中柱に固定される。
【００２１】
なお、中柱固定片２は薄板からなり中柱Ｃの溝Ｃ１の内側壁Ｃ２に押圧固定されるので、外側壁Ｃ３と内側壁Ｃ２との間にスラットＳ２が閉められた状態でも邪魔にはならない。また、補強材固定具Ａは取外しが簡単に行えるので、スラットＳ２の開閉作業の邪魔にはならない。厚みが薄いスラットＳ２の場合は補強材固定具Ａを固定したままでも開閉作業をすることができる。
【００２２】
このようにして、シャッター本体の左右の上側受け材Ｄ1と下側受け材Ｄ２との間で対角線上に補強材Ｂを強固に固定することができ、その補強材Ｂに補強材固定具Ａを介して中柱Ｃは強固に固定できるので、強度が弱く地面に強固に固定されていない中柱Ｃでも、強風下において曲がったり外れたりすることなくシャッター全体として破損することなく強風に耐えることができる。
【００２３】
補強材固定具Ａは以上説明したものだけでなく、例えば図６や図７に示す形態の補強材固定具Ａを用いることもできる。詳細については割愛するが、以下簡単に説明する。    
【００２４】
図６に示すその他の実施形態の補強材固定具Ａは、補強材固定片１１が２枚になって補強材Ｂを両方の板の空間に挟み込むようになっている。補強材固定片１１の一端はボルトとナットで螺合された接合部４で接合され、他端は調節把持部３１と調節ネジ部３２の螺合によって固定される。補強材Ｂは接合部４又は調節把持部３１を外して前記空間部で挟み込む。その後、図１乃至図５の補強材固定具Ａと同様に中柱Ｃに固定する。なお、この補強材固定片１１では先端部に中柱の内側部分の厚みと同じ突出高さを有する中柱突部１２を設け中柱固定片２が接するまで調節把持部３１を回転させ、補強材固定片１１と中柱固定片２とで中柱Ｃを挟み込み固定する。
【００２５】
図７に示す補強材固定具Ａは、ほぼ図６に示すものと同じであり、接合部４の形態が異なるのみである。本実施形態の接合部４はボルト、ナットを用いることがなく、補強材固定片１１の一方に切り込みを設け他方にその切り込みに係止する爪部を設けて固定するものである。その他の形態でも本発明の要旨を変えないものであれば特に限定はされない。  
【産業上の利用可能性】
【００２６】
本発明は、補強材固定具で補強材を中柱に固定するだけで、暴風時にも破損しないシャッターを簡単に提供できるので、極めて有用で産業上の利用可能性が高い。
【符号の説明】
【００２７】
Ａ      補強材固定具
Ｂ      補強材
Ｃ      中柱  
１１    補強材固定片
２      中柱固定片
３１    調節把持部  
３２    調節ネジ部
Ｓ１    ガイドレール
Ｓ２    スラット  
【図１】
2020016037.tif 000003
【図２】
2020016037.tif 000004
【図３】
2020016037.tif 000005
【図４】
2020016037.tif 000006
【図５】
2020016037.tif 000007
【図６】
2020016037.tif 000008
【図７】
2020016037.tif 000009
【図８】
2020016037.tif 000010